(57)【要約】      （修正有）【課題】磁力を利用して壁体にせっけんを装着させて、据え付けがしやすく使用が便利なせっけん固定具を提供する。【解決手段】壁体に設置されてその下部に磁着手段が設置された固定台に、磁力で接着されるせっけん固定具において、上記せっけん固定具は下部が開口になって空間部が形成された筒体形状で、その上部に平板が形成されて、上記平板には、上記固定台の磁着手段と磁力で接着される。磁着手段が設置されて上記平板の外周を追って側壁が下部に向けて形成されて、上記側壁の下端がせっけんに挿されて固定される。【選択図】図1
0003148305.tif 000002
【実用新案登録請求の範囲】
【請求項１】
壁体に設置される固定台の磁着手段と磁力で接着されるせっけん固定具において、上記せっけん固定具は下部が開口になって空間部が形成された筒体形状で、その上部に平板が形成されて、上記平板上には、上記固定台の磁着手段と磁力で接着される磁着手段が設置されて上記平板の外周を追って側壁が下部に向けて形成されて、上記側壁の下端がせっけんに挿されて固定するようにしたことを特徴とするせっけん固定具。
【請求項２】
上記側壁の下端は彎曲された突出部と凹入部が連続に形成されたことを特徴とする請求項１に記載のせっけん固定具。
【請求項３】
上記側壁の下端面はラウンド曲面で形成されたことを特徴とする請求項１に記載のせっけん固定具。
【請求項４】
上記側壁の外面には多数の突起が形成されて上記突起は下部から上部にいくほど外側に向けて傾斜されるようにした傾斜面が形成される構造なのを特徴とする請求項１に記載のせっけん固定具。
【請求項５】
上記側壁の外面には多数の凹溝らが形成されたことを特徴とする請求項１に記載のせっけん固定具。
【請求項６】
上記平板には上記空間部と通じる通孔が多数形成されたことを特徴とする請求項１に記載のせっけん固定具。
【請求項７】
上記平板上の磁着手段は、上記平板の上部に内蔵型で設置される一方上記平板の表面まで突出した接触部を具備して、上記平板には上記接触部が嵌められることができる貫通部が形成されたことを特徴とする請求項１に記載のせっけん固定具。
【考案の詳細な説明】
【技術分野】
【０００１】
本考案はせっけん固定具に関するもので、さらに詳しくは磁力接着によってせっけんを装着させられて据え置けがしやすくて使用が便利なせっけん固定具に関するものである。
【背景技術】
【０００２】
一般的に、磁着力を利用したせっけん固定具は、鉄板をプレス加工して単純に瓶の蓋形状で製造したもので、下部に形成された鋭い先端を利用してせっけんに挿して使うことになる。
【０００３】
しかし、このような従来鉄板を加工した瓶の蓋形状のせっけん固定具はせっけんと直接触れ合っているから、せっけんの洗浄作用をする化学成分と水の塩分などによって腐食されながらせっけんを汚染することになって非衛生的な問題点があった。
【０００４】
また、従来せっけん固定具は鉄板をプレスで加工することになるのに細密な加工が大変で単価も高まるから単純加工して使うことになって主に表面が平らな蓋状で加工されるので、平らな表面にせっけんが埋められる場合固定力が低下してよく離脱する問題点があった。
【０００５】
また、従来せっけん固定具は下端が鋭く形成されていてせっけんが終わり部分だけ残った場合には使用者の手が切れる危険があったし、せっけんにやさしく差し込まれることができない問題点があった。
【考案の開示】
【考案が解決しようとする課題】
【０００６】
本考案は上記の従来技術の問題点を解消するために案出されたもので、上部に磁着手段を設置して固定力が増大することができるようにしたせっけん固定具を提供するのにその目的がある。
【課題を解決するための手段】
【０００７】
上記のような目的を達成するための本考案によるせっけん固定具は、壁体に設置される固定台の磁着手段と磁力で接着されるせっけん固定具において、上記せっけん固定具は下部が開口になって空間部が形成された筒体形状で、その上部に平板が形成されて、上記平板には、上記固定台の磁着手段と磁力で接着される磁着手段が設置されて上記平板の外周を追って側壁が下部に向けて形成されて、上記側壁の下端がせっけんに挿されて固定するようにしたことを特徴とする。
【考案の効果】
【０００８】
本考案によると、端部が鋭くなくて身体の損傷を防止することができて、せっけんにやさしく挿入されるし、上部面に磁着手段を設置することによって固定力が増大することができる効果がある。
【０００９】
また、合成樹脂で製作される場合腐食が防止されてせっけんを汚染しなくて衛生的に使える効果がある。
【考案を実施するための最良の形態】
【００１０】
以下本考案の望ましい実施例を添付された図面を基に詳しく説明すれば次のようである。
【００１１】
本考案のせっけん固定具(A)は、図1、2及び図4に示したように、下部が開口になった筒体形状で、上部に平板(2)が形成されて上記平板(2)上に磁着手段(5)が設置されて、上記平板(2)の外周を追って側壁(4)が下部に向けて形成されて内部に空間部(40)を持つし、上記側壁(4)の下端がせっけん(400)に挿されて固定される。
【００１２】
上記側壁(4)の下端は彎曲された突出部(42)と凹入部(43)が連続に形成される。
【００１３】
上記側壁(4)の下断面(8)はラウンド曲面で形成されて身体的傷害を防止することができるように構成される。
【００１４】
上記彎曲された突出部(42)と凹入部(43)の高さの差によってせっけんにはめ込む時摩擦面を減らしてやさしくせっけんに挿入される。
【００１５】
図3、4に示したように、上記側壁(4)の外面には多数の突起(6)が突出形成されていて、上記突起(6)によってせっけん(400)に深く差し込まれられて固定力が増大することができる。
【００１６】
上記突起(6)は、図2に示したように、下部から上部にいくほど外部側に向けて傾斜された傾斜面が形成されて、上記傾斜面によってせっけん(400)に差し込まれる時、抵抗力をより減少させることができるようになる。
【００１７】
上記側壁(4)の外面には多数の凹溝(7)が形成されて上記凹溝(7)にせっけん(400)が充満して固定力がより増大されることができる。
【００１８】
図1に示したように、上記平板(2)には円版形状の溝(22)が形成されて、上記溝(22)には上記溝と同一形状の磁着手段(5)が埋入される。
【００１９】
上記平板(2)の溝(22)の外周には上記空間部(40)と通孔(24)が空気排出がやすいように多数形成される。
【００２０】
上記 磁着手段(5)は磁性体または 磁着性の金属版からなっている。
【００２１】
以下本考案の結合及び作用について説明することにする。
【００２２】
図4に示したように、壁体(100)には 磁着手段(300)がその下端に形成された固定台(200)が設置される。
【００２３】
上記 磁着手段(300)としては磁性体または 磁着性の金属版が使われる。
【００２４】
本考案のせっけん固定具(A)を組み立てることにおいて、先に上記固定台(200)の磁着手段(300)が 磁着されることができるように 磁着手段(300)と極性が違う他の磁着手段(5)が平板(2)の溝(22)に設置される。
【００２５】
続いて、せっけん固定具(A)の側壁(4)の下端の突出部(42)及び凹入部(43)にせっけん(400)をぐり立てて力を込めて押せば、上記突出部(42)がせっけん(400)に刺されながら固定される。
【００２６】
この時、せっけん固定具(A)の内部に存在する空気は通孔(24)を通じて外部に排出されるからせっけんとの結合がしやすくなって、上記突出部(42)及び凹入部(43)の段差によって接触面積が減ってせっけんにやさしく挿入されるし、上記側壁(4)の下端の突出部(42)及び突起(6)及び凹溝(7)がせっけん(400)に深く差し込まれながらせっけんとの固定力が増大する。
【００２７】
このようにせっけん(400)が差し込まれたせっけん固定具(A)を、上記固定台(200)の磁着手段(300)に持つてあてると、上記固定台の磁着手段(300)とせっけん固定具(A)の磁着手段(5)とお互いに 磁着される。
【００２８】
一方、図5及び図6のように、上記 磁着手段(5)を平板(2)の上部に内蔵型で設置する構造にすれば、上記 磁着手段(5)の離脱や流動を安全に防止することができる。
【００２９】
このような構造は先に板状の磁着手段(5)をプレス加工によって突出接触部(50)を形成して、平板(2)や側壁(4)は合成樹脂材料で射出成形による一体型で製作したり分離型で製作して完成される。
【００３０】
上記 磁着手段(5)の突出接触部(50)は上記平板(2)に形成された貫通部(51)を貫通して上記平板(2)の表面まで露出されて、上記固定台(200)の磁着手段(300)と直接触接することで強く接着される。
【００３１】
上記接触部(50)は、平面上で見る時、図5に図示された形態を含んで様々な形態で形成されることができる。
【００３２】
このように上記平板(2)上に上記 磁着手段(5)が内蔵型で設置される場合、上記 磁着手段(5)を上記平板(2)と接着させるための別途作業工程が必要ではなく、上記 磁着手段(5)が上記平板(2)から分離したり流動されないにも上記 磁着手段(5)の露出された接触部(50)を通じて上記固定台の磁着手段(300)との十分な磁力接触力が得られる。
【図面の簡単な説明】
【００３３】
【図１】本考案のせっけん固定具の分解斜視図。
【図２】本考案のせっけん固定具の結合断面図。
【図３】本考案のせっけん固定具の平面図。
【図４】本考案のせっけん固定具の設置例を示した図面。
【図５】本考案のせっけん固定具の他の実施の例を示した 斜視図。
【図６】図5のB-B'線による断面図。
【符号の説明】
【００３４】
2:平板
4:側壁
5:磁着手段
6:突起
7:凹溝
8:下端面
22:溝
24:通孔
40:空間部
42:突出部
43:凹入部
50:接触部
51:貫通部
【図１】
0003148305.tif 000003
【図２】
0003148305.tif 000004
【図３】
0003148305.tif 000005
【図４】
0003148305.tif 000006
【図５】
0003148305.tif 000007
【図６】
0003148305.tif 000008